(57)【要約】      （修正有）【課題】回転刃と草類の接触圧力（機械的抵抗）が弱くなることによる切断力の低下が発生しない、さらに回転刃の軸部に刈り取られた草類が絡み付く巻き込み現象も発生しない刈り払い機を提供する。【解決手段】回転刃３の基材の上面に中心部から外周部に向け放射状に突出した長方形の翼片７を設け、翼片７の機能で下から上方向へ空気の流れを発生せしめて、草類を直立状態に保持し切断力の向上を図る、と共に刈り取られた草類は吹き飛ばされて回転刃３の軸部への巻き込み現象を防止する。【選択図】図１
2015019644.tif 000002
【特許請求の範囲】
【請求項１】
刈り払い機に用いる回転刃であって、該回転刃は中心部に軸穴を備えた円板形状をしており、回転刃の基材の外周部に複数の刃体が所定の間隔で配列形成されており、回転刃を構成する基材上面の軸穴の周縁部の近傍から回転刃の外周部の刃体の谷部の近傍までを長辺にした所定形状の翼片が放射状に設けられており、回転刃の回転方向に対し対向する方向が翼片の突出方向となるようにして翼片の突出方向と回転刃の基材の上面とが所定の傾斜角を持って回転刃の基材面より上方に突出するように複数の翼片を配列形成したことを特徴とする翼片を設けた回転刃。
【請求項２】
前記、翼片の傾斜角が鋭角であり翼片の形状が長方形であることを特徴とする請求項１に記載の翼片を設けた回転刃。
【請求項３】
前記、翼片の傾斜角が鋭角であり翼片の突出方向の端部が凸部を有する曲線形状であることを特徴とする請求項１に記載の翼片を設けた回転刃。
【請求項４】
前記、翼片の数が３〜７片であり傾斜角が３０〜６０度であることを特徴とする請求項１〜３のいずれかに記載の翼片を設けた回転刃。
【発明の詳細な説明】
【技術分野】
【０００１】
刈り払い機において、円板形状の基材の中心部に軸穴を備え外周部に複数の刃体を所定の間隔で配列形成したものが回転刃である、本発明は、該回転刃が回転することで草類を切断して成る刈り払い機用の回転刃に関するものである。
【背景技術】
【０００２】
刈り払い機において、刈り払い作業中に回転刃は切断力の低下が発生する、そして刈り取られた草類が回転刃の軸部に絡み付く巻き込み現象が頻繁に発生する、さらに倒伏状態や横に伸びた草類は回転刃と平行状態に存在する結果、回転刃と接触し得ないので切断は不可能である。
【０００３】
刈り払い機の回転刃は回転することでその性能を発揮するものであるが、回転刃が回転する際に働く遠心力の作用で回転刃の外方向へ空気の流れが発生する、該空気の流れで草類は回転刃の外方向へ逃げることで接触圧力（機械的抵抗）の低下に由来する切断力の低下が発生する、さらに巻き込み現象、倒伏状態や横に伸びた草類は切断不可能、軟弱な草類は軟弱であるが故の切断力の低下が著しい等さまざまな不都合が発生する。          
【先行技術文献】
【特許文献】
【０００４】
【特許文献１】特開平１０−１５０８２７号公報
【特許文献２】実開平６−３１４２２号公報
【発明の概要】
【発明が解決しようとする課題】
【０００５】
刈り払い機で刈り払い作業中において回転刃が回転する際に働く遠心力の作用で回転刃の外方向へ空気の流れが発生して、地面に生えている草類は回転刃の外方向へ逃げる結果、草類と回転刃の外周部の刃体は接触圧力（機械的抵抗）が弱くなり切断力の低下が発生する、この現象は回転速度が高くなる程にその作用は増幅し草類の外方向へ逃げる量は増加する結果、切断力の低下は増大する。
【０００６】
刈り払い作業中に刈り取られた草類が回転刃の軸部に絡み付く巻き込み現象も頻繁に発生する、巻き込んだ草類を取り除く作業に手間が掛り作業能率の低下が起こる。
【０００７】
刈り払い作業中において倒伏状態や横に伸びた草類は回転刃の下側で回転刃と平行状態に存在する結果、回転刃の刃体と接触し得ない理由で切断することは不可能である。
【０００８】
細くて腰の弱い軟弱な草類では、軟弱であるが故に回転刃が回転する際に働く遠心力の作用で外方向へ流れる空気の影響を受けやすく、回転刃の外方向へ逃げる量が多くなり回転刃の刃体と草類が接触し得ないことに由来する切断力の低下は顕著に現れる。
【課題を解決するための手段】
【０００９】
本発明の翼片を設けた回転刃は刈り払い機に用いる回転刃であって、該回転刃は中心部に軸穴を備えた円板形状をしており、回転刃の基材の外周部に複数の刃体が所定の間隔で配列形成されており、回転刃を構成する基材上面の軸穴の周縁部の近傍から回転刃の外周部の刃体の谷部の近傍までを長辺にした所定形状の翼片が放射状に設けられており、回転刃の回転方向に対し対向する方向が翼片の突出方向となるようにして翼片の突出方向と回転刃の基材の上面とが所定の傾斜角を持って回転刃の基材面より上方に突出するように複数の翼片を配列形成したことを特徴とする。係る構成によれば回転刃が回転する際に回転刃の基材面に対し下から上方向へ空気の流れが発生して切断力の向上の良い点があり草類の刈り払い作業にとって好適である。  
【００１０】
本発明の翼片を設けた回転刃は、前記翼片の傾斜角が鋭角であり翼片の形状が長方形であることを特徴とする。係る構成によれば回転刃の外方向への空気の流れを防止する良い点があり切断力は向上する。
【００１１】
本発明の翼片を設けた回転刃は、前記翼片の傾斜角が鋭角であり前記翼片の突出方向の端部が凸部を有する曲線形状であることを特徴とする。係る構成によれば回転刃の基材面の上に乗る草類を回転刃の基材面に対し下から上方向へ流れる空気の力で吹き飛ばして巻き込み現象を防止可能となる。さらに倒伏状態や横に伸びた草類を引き起こして直立状態に保持することで切断力の向上にとって好適である。
【００１２】
本発明の翼片を設けた回転刃は、前記翼片の数が３〜７片であり傾斜角が３０〜６０度であることを特徴とする。係る構成によれば回転刃の基材面に対し下から上方向へ流れる空気の力で草類を直立状態に保持して切断力の向上にとって最適である。
【発明の効果】
【００１３】
回転刃が回転する際に回転刃の基材面に対し下から上方向へ空気の流れが発生して切断力の向上の良い点があり草類の刈り払い作業に好適である。刈り払い作業中において切断力の低下は頻繁に発生する、その要因として回転刃の刃体の先端が摩耗して鋭利な状態が失われることが考えられるが、それ以上に重要な要因として回転刃が回転する際に働く遠心力の作用で回転刃の外方向へ流れる空気の発生により草類は回転刃の外方向へ逃げる結果、接触圧力（機械的抵抗）が低下することに由来する切断力の低下が起こる、回転刃の基材上面に突出した複数の翼片の機能で回転刃の基材面に対し下から上方向へ空気の流れを発生せしめる、該空気の流れで草類を直立状態に保持し刈り払い作業を行う結果、切断力が大幅に向上する。
【００１４】
回転刃の基材面に対して下から上方向へ流れる空気の力で草類を直立状態に保持して切断力の向上にとって最適である。刈り払い作業中において倒伏状態や横に伸びた草類は回転刃の下側で回転刃と平行状態に存在する結果、回転刃と接触し得ないので切断することは不可能であるが、回転刃の基材の上面へ放射状に配列形成した翼片の機能は、回転する際に回転刃の基材面に対し下から上方向へ空気の流れを発生せしめて、倒伏状態や横に伸びた草類を引き起こして直立状態に保持する結果、回転刃の刃体と草類の接触圧力（機械的抵抗）が生じて切断することが可能となる。回転刃の外方向への空気の流れを防止する良い点があり切断力は向上する。
【００１５】
回転刃の外方向への空気の流れを防止する良い点があり切断力の向上にとって最適である。刈り払い作業中において回転刃は回転する際に働く遠心力の作用で回転刃の外方向へ空気の流れが発生する、細くて腰の弱い軟弱な草類においては軟弱であるが故に外方向へ逃げる量が多くなり、回転刃の刃体に接触し得ないことに由来する切断力の低下が発生する、回転刃の基材の上面に配列形成した翼片の機能で発生する回転刃の基材面に対し下から上方向への空気の流れは、草類が軟弱であるが故に直立状態に保持する効果が顕著に現れて切断力は大幅に向上する。回転刃の基材上面に乗る草類を吹き飛ばして巻き込み現象を防止可能となる。さらに倒伏状態や横に伸びた草類を引き起こして直立状態に保持することで切断力の向上にとって好適である。
【００１６】
回転刃の基材上面に乗る草類を吹き飛ばして巻き込み現象を防止可能となる。刈り取られた草類が回転刃の軸部に絡み付く巻き込み現象は切断された草類が、回転刃の基材面の上に残りその一部が回転刃の軸部に引っ掛かった状態で回転刃が回転することで発生する現象である、回転刃の基材の上面に配列形成した翼片の機能で回転刃の基材面に対し下から上方向へ発生する空気の流れにより刈り取られた草類は吹き飛ばされて基材面の上に残らないので巻き込み現象を防止可能となる。回転刃の基材面に対し下から上方向へ流れる空気の力で草類を直立状態に保持して切断力の向上にとって最適である。
【図面の簡単な説明】
【００１７】
【図１】図１は本発明の翼片を設けた回転刃の斜視図である。
【図２】図２は本発明の翼片を設けた回転刃の平面図である。
【図３】図３は本発明の翼片を設けた回転刃の図１のＥ部拡大斜視図である。
【図４】図４は本発明の翼片を設けた回転刃の図２のＤ−Ｄ´断面図である。
【図５】図５は本発明の翼片を設けた回転刃の翼片の突出方向端部を示す拡大斜視図である。
【図６】図６は本発明の翼片を設けた回転刃の平面の一部切欠き拡大図である。
【発明を実施するための形態】
【００１８】
円板形状の回転刃３の基材Ａの中心部に軸穴１を備え、回転刃３の外周部Ｓに複数の刃体２を所定の間隔で配列形成した回転刃３の基材Ａの上面に、軸穴１の周縁部Ｊの近傍から回転刃３の外周部Ｓの刃体２の谷部Ｃの近傍までを長辺７ａにした長方形のラインを定める、該ラインの形状と位置関係は軸穴１の周縁部Ｊの近傍及び回転刃３の外周部Sの刃体２の谷部Ｃの近傍は短辺７ｂ、折り曲げ線５及びその対向は長辺７ａとする、回転方向４の進行方向に位置する折り曲げ線５を基部にして回転方向４に対し対向する方向が翼片７の突出方向Tとなるように、回転刃３の基材Ａの上方へ所定の傾斜角６を持ち突出するように折り曲げられた翼片７を複数、配列形成する、折り曲げ線５は長方形の翼片７の長辺７ａであり、軸穴１の周縁部Ｊの近傍から回転刃３の外周部Ｓの刃体２の谷部Ｃの近傍に向け放射状に形成する翼片７の折り曲げ基準部位である。
【００１９】
前記，軸穴１の周縁部Ｊの近傍、回転刃３の外周部Ｓの刃体２の谷部Ｃの近傍とは以下に示す寸法が適する。刃体２の谷部Ｃと翼片７の短辺の端縁との寸法Ｌ２及び、軸穴１の周縁部Ｊと翼片７の短辺の端縁との寸法Ｌ３の寸法としては約５〜１５ｍｍ程度が好適である。    
【００２０】
前記、回転刃３の中心部にある軸穴１は刈り払い機本体の回転軸部に、回転刃３を接続する際に軸穴１を介してナット等を締め付けて接続する構成である、一般的に普及している刈り払い機に接続を可能にする目的で共通的なサイズ、形を持ち様々な機種の刈り払い機に対応できる構成である。
【００２１】
前記、回転刃３は回転する際に翼片７の機能で回転刃３の基材Ａの基材面に対し下から上方向へ空気の流れを発生せしめて、草類が回転刃３の外方向へ逃げる現象を防止する結果、接触圧力（機械的抵抗）の増加により切断力が向上する、と共に回転刃３の上に乗る刈り取られた草類は翼片７の機能によって回転刃３の基材Ａの基材面に対し下から上方向へ発生した空気の流れで吹き飛ばされて、回転刃３の軸部に絡み付く巻き込み現象を防止可能とする。
【００２２】
前記、回転刃３の翼片数は３〜７片が好適である、また翼片７の形状として、長方形や正方形、三角形などが好適である、また翼片７の傾斜角として約３０〜６０度程度が好適である、しかし翼片の数、形状、傾斜角はこれに限定されるものではない、また回転刃３と翼片７の材質は鋼材が好適であるがこれに限定されるものではない、また軸穴１の形状は円形が好適であるが四角形であってもよい、また別部材を加工して回転刃３の基材Ａの上面に接続することも可能であるが限定するものではない。また翼片の突出方向の端部Ｒが凸部を有する曲線形状であると草類の巻き込み防止性能が向上する。
【００２３】
前記、回転刃３の基材Ａを基材面より上方へ突出するように折り曲げられた翼片７を折り曲げる前の回転刃３の基材Ａが折り曲げられた跡に開口部８ができる、開口部８は回転刃３の基材Ａの基材面に対し下から上方向への空気の流れの通り道になって、該空気の流れをスムーズな流れにする、回転刃３は回転することで性能を発揮するものであるが回転する際の遠心力の作用で回転刃３の外方向へ空気の流れが発生する、前記、翼片を設けた回転刃は翼片７の機能で基材面に対して下から上方向への空気の流れを発生せしめて、回転刃３の外方向への空気の流れを防止することを特徴とする翼片を設けた回転刃である。
【００２４】
前記、回転刃３の基材面に対し下から上方向への空気の流れは刈り取られた草類が回転刃３の軸部に絡み付く巻き込み現象を防止可能とする、と共に草類と回転刃３の刃体２との接触圧力（機械的抵抗）に由来する切断力の向上を目的にすることを特徴とする翼片を設けた回転刃。
【実施例】
【００２５】
翼片の傾斜角と翼片の数と翼片の突出方向端部の形状を変えて切断性能、及び刈り取られた草類の巻き込み防止性能を比較実験した結果を示す。
【表１】
2015019644.tif 000003
【表２】
2015019644.tif 000004
【表３】
2015019644.tif 000005
【００２６】
表１を考察する、傾斜角の差による切断性能の比較実験の為に翼片の数を同一にして傾斜角を変えた実験によると、４５度付近が最も良好である、３０又は６０度付近は良好である、１５度以下又は７５度以上では大幅に低下する。
表２を考察する、翼片の傾斜角を同一にして翼片数の変化による切断性能の比較実験の結果は５〜７枚が最も良好である、３枚では低下するがおおむね良好である、１〜２枚では著しく低下する。
表３を考察する、翼片の数、及び傾斜角を同一にして突出方向端部の形状を変えて巻き込み防止性能の比較実験では、突出方向端部が凸部を有する曲線形状が最も良好である、直線形状ではやや劣るが良好である、凹部を有する曲線形状では低下する。
【産業上の利用可能性】
【００２７】
本発明の翼片を設けた回転刃を用いて草類を刈り払いした場合、翼片による空気の流れの効果によって切断力が大幅に向上する、従って産業上有用である。
【符号の説明】
【００２８】
１    軸穴
２    刃体
３    回転刃
４    回転方向
５    折り曲げ線
６    傾斜角
７    翼片
７ａ  翼片の長辺
７ｂ  翼片の短辺
８    開口部
Ａ    回転刃の基材
Ｂ    刃体の山部
Ｃ    刃体の谷部
Ｓ    回転刃の外周部
Ｊ    軸穴の周縁部
Ｔ    翼片の突出方向
Ｒ    翼片の突出方向端部
Ｌ１  翼片の長辺の長さ
Ｌ２  刃体の谷部と翼片の短辺の端縁との寸法
Ｌ３  軸穴の周縁部と翼片の短辺の端縁との寸法
【図１】
2015019644.tif 000006
【図２】
2015019644.tif 000007
【図３】
2015019644.tif 000008
【図４】
2015019644.tif 000009
【図５】
2015019644.tif 000010
【図６】
2015019644.tif 000011